(57)【要約】【課題】ドレンポンプの詰まりがなくなることで製品保護制御が働かずいつも正常な運転を行うことができることを目的とする。【解決手段】ドレンパン５にフィルター９を設けた構成にしたことで、第二熱交換器４で発生する凝縮水を、フィルター９にて吸い上げ、第二送風機８の風をフィルター９あてて、凝縮水を蒸発させ、ドレンパン５に溜まった凝縮水を乾燥させることで、かび、菌の繁殖を抑えることができる浴室換気空調装置を得られる。【選択図】図１
2012163296.tif 000002
【特許請求の範囲】
【請求項１】
冷凍サイクルを構成する圧縮機と、空気を放熱する第一熱交換器と、冷媒を膨張するための膨張機構と、空気を吸熱するための第二熱交換器と、さらに第二熱交換器下部に凝縮水を受けるドレンパンと、凝縮水を排出するドレンポンプと、前記第一熱交換器に風をおくる第一送風機と、前記第二熱交換器に風をおくる第二送風機と、を配したものであって、前記ドレンパンにフィルターを設けたことを特徴とする浴室換気空調装置。
【請求項２】
フィルターをコルゲート形状に加工し、フィルターに通風路を備えたことを特徴とする請求項１に記載の換気装置。
【請求項３】
フィルターを、ハニカム形状に加工し蜂の巣状の繊維を多層したことを特徴とする請求項１に記載の浴室換気空調装置。
【発明の詳細な説明】
【技術分野】
【０００１】
本発明は、浴室の換気、乾燥、暖房を行うことができる浴室換気空調装置に関するものである。
【背景技術】
【０００２】
従来、この種の浴室換気空調装置は、浴室の天井に設置される本体内に冷凍サイクルを構成する部品と、換気機能を有する換気ファンとを備えた浴室換気空調装置が知られている。
【０００３】
この種の浴室換気空調装置は、冷媒を圧縮する圧縮機と、通過する空気に放熱するための第一熱交換器と、前記冷媒を膨張させるための膨張機構と、前記通過する空気から吸熱するための第二熱交換器とを順に連結し、前記冷媒を流通させるための冷媒回路を設けた冷凍サイクルを前記本体の外郭に配した構成において、前記第一熱交換器の下部にドレンパンを配置し、前記ドレンパンの上部にドレンポンプを設け、前記ドレンポンプにドレン排水パイプを設けたものが知られている。
【先行技術文献】
【特許文献】
【０００４】
【特許文献１】特開２０１０−１０７１３５号公報
【発明の概要】
【発明が解決しようとする課題】
【０００５】
このような従来の浴室換気空調装置では、ドレンパンの底部にドレン溜りを設け、前記ドレンパンの側面から前記ドレン溜りに向かってドレンパンの底部に傾斜部を設け、ドレンポンプによって本体から凝縮水を排出させている。
【０００６】
しかし、凝縮水がドレン溜りに長期に渡り停滞すると、空気中を浮遊しているかびや菌がドレン溜りで繁殖し、粘性をもったスライムに変化し、そのスライムがドレンポンプあるいはドレン排水パイプを通過する際序々に堆積し、凝縮水の排水が序々に悪くなり、最終的にはドレンパンを詰まらせて排水されなくなり、水漏れや本体を停止させる保護制御により運転ができない、という課題を有していた。
【０００７】
そこで本発明は、上記従来の課題を解決するものであり、ドレンポンプの詰まりがなくなることで製品保護制御が働かずいつも正常な運転を行うことができる浴室換気空調装置を提供することを目的とする。
【課題を解決するための手段】
【０００８】
そして、この目的を達成するために、本発明は、冷凍サイクルを構成する圧縮機と、空気を放熱する第一熱交換器と、冷媒を膨張するための膨張機構と、空気を吸熱するための第二熱交換器と、さらに第二熱交換器下部に凝縮水を受けるドレンパンと、凝縮水を排出するドレンポンプと、前記第一熱交換器に風をおくる第一送風機と、前記第二熱交換器に風をおくる第二送風機を配したものであって、前記ドレンパンにフィルターを設けたとしたものであり、これにより所期の目的を達成するものである。
【発明の効果】
【０００９】
本発明によれば、冷凍サイクルを構成する圧縮機と、空気を放熱する第一熱交換器と、冷媒を膨張するための膨張機構と、空気を吸熱するための第二熱交換器と、さらに第二熱交換器下部に凝縮水を受けるドレンパンと、凝縮水を排出するドレンポンプと、前記第一熱交換器に風をおくる第一送風機と、前記第二熱交換器に風をおくる第二送風機と、を配したものであって、前記ドレンパンにフィルターを設けたという構成にしたことにより、第二熱交換器で発生する凝縮水をフィルターにて吸い上げ、第二送風機の風をフィルターに当てることで、ドレンパンに溜まった凝縮水を蒸発させ、ドレンパンの凝縮水を乾燥することができ、水分を養分とするかびや菌の繁殖を抑えることができるという効果を得ることができる。
【図面の簡単な説明】
【００１０】
【図１】本発明の実施の形態１の浴室換気空調装置の構成を示す構成図
【図２】本発明の実施の形態２の浴室換気空調装置のフィルターを示す構造図
【図３】本発明の実施の形態３浴室換気空調装置のフィルターを示す形状図
【発明を実施するための形態】
【００１１】
本発明の請求項１記載の浴室換気空調装置は、冷凍サイクルを構成する圧縮機と、空気を放熱する第一熱交換器と、冷媒を膨張するための膨張機構と、空気を吸熱するための第二熱交換器と、さらに第二熱交換器下部に凝縮水を受けるドレンパンと、凝縮水を排出するドレンポンプと、前記第一熱交換器に風をおくる第一送風機と、前記第二熱交換器に風をおくる第二送風機と、を配したものであって、前記ドレンパンにフィルターを設けた構成を有する。これにより、第二熱交換器で発生する凝縮水を、フィルターにて吸い上げ、第二送風機の風をフィルターあてて、凝縮水を蒸発させることとなるので、ドレンパンに溜まった凝縮水を乾燥させることで、かび、菌の繁殖を抑えることができるという効果を奏する。
【００１２】
また、フィルターを、コルゲート加工したという構成にしてもよい。これにより、第二熱交換器で発生する凝縮水を、表面積を多くしたコルゲート加工のフィルターにて吸い上げ、第二送風機の風をフィルター当てて、ドレンパンに溜まった凝縮水を乾燥させることで、更に、かび、菌の繁殖を抑えることができるという効果を奏する。
【００１３】
また、フィルターを、ハニカム形状に加工し蜂の巣状の繊維を多層したという構成にしてもよい。これにより、第二熱交換器で発生する凝縮水を、ハニカム形状の繊維を多層したフィルターにて吸い上げおよび拡散の速度を上げ、第二送風機の風をフィルター当ててドレンパンに溜まった凝縮水を乾燥させることで、更に、かびや菌の繁殖を抑えることができるという効果を奏する。
【００１４】
以下、本発明の実施の形態について図面を参照しながら説明する。
【００１５】
（実施の形態１）
図１に示すように、浴室換気空調装置は、冷凍サイクルを構成する圧縮機１と、空気を放熱する第一熱交換器２と、冷媒を膨張するための膨張機構３と、空気を吸熱するための第二熱交換器４と、さらに第二熱交換器下部に凝縮水を受けるドレンパン５と、凝縮水を排出するドレンポンプ６と、第一熱交換器２に風をおくる第一送風機７と、第二熱交換器４に風をおくる第二送風機８を配したものであって、ドレンパン５にフィルター９を設けた構成を有する。また、フィルター９は、第二送風機８の換気通路としての風上に配置し、フィルター９に風が当たる構成としている。フィルター９は繊維および紙の材料からなる。
【００１６】
このような構成によれば、第二熱交換器４で発生する凝縮水は、ドレンポンプ６で本体外へ排出した後のドレンホース１０内の戻り水及び、ドレンパン５のドレン溜りの残留水が、ドレンパン５に残留し、ドレンパン５に設けたフィルター９が毛細管現象により凝縮水をフィルター９に吸い上げられ、フィルター９は水分を含んだ状態になる。
【００１７】
これにより、凝縮水を含んだフィルター９は、第二送風機８の風がフィルター９に当たてることで、フィルター９によってドレンパン５に溜まった凝縮水を蒸発して乾燥させることできるので、残ったドレン水によるかび、菌の繁殖を抑えることができるという効果を奏する。
【００１８】
図１に示すように、フィルター９を、コルゲート１１形状に加工した構成としたものである。
【００１９】
このフィルター９のコルゲート１１形状は、板１３状の材料を一枚一枚積み重ね、さらに一枚一枚の間に波形１４形状の板をサンドイッチしながら積層し、さらに周囲を板１３で覆い、ばらばらにならないように加工したものである。
【００２０】
この構成によれば、フィルター１２を繊維および紙の材料からなるので、凝縮水は毛細管現象によって凝縮水を吸い上げる。
【００２１】
これにより、フィルター１２をコルゲート１１加工にすることで、フィルター１２の容積が増え吸い上げる凝縮水量が増え、かつ、第二送風機８の風をフィルター１２に接触する表面積が増やすことで、凝縮水を早く蒸発させることができるとともに、凝縮水を早く蒸発させ乾燥させることで、空気中に浮遊するかびおよび菌は水分を養分とする居場所がなくなることで、かびや菌の繁殖を抑えることができ、また、フィルター９を通過する風はコルゲート１１の波形の開口部によって、通風路に配置したフィルター１２での通風抵抗が減り、機内圧損が減り、風量の確保及び騒音低減につながる効果を奏する。
【００２２】
（実施の形態３）
図３において、図１、図２と同様の構成要素については同一の符号を付し、その詳細な説明は省略する。
【００２３】
実施の形態１の図１のフィルター９を、図３に示すようにハニカム１５形状に加工した構成としたフィルター１６ものである。
【００２４】
このフィルター１６のハニカム１５形状は、板状の材料を６角形のハニカム１５形状にして積層し、さらに周囲を図２に示すように板で覆い、ばらばらにならないように加工したものである。
【００２５】
これにより、フィルター１６をハニカム１５形状に加工にすることで、フィルター１６の容積がさらに増えことで吸い上げる凝縮水の量が増え、さらに第二送風機８の風をフィルター１６当てる表面積が増し、凝縮水を早く蒸発させることができる。凝縮水を早く乾燥すると、空気中に浮遊するかび及び菌は水分を養分とする居場所がなくなることで、かびや菌の繁殖を抑えることができる。また、フィルター１６をハニカム１５形状にすることで、フィルター１６自身の強度が増し、生産時のフィルター１６取付けの際、フィルター１６のつぶれによる不良品が減る。またフィルター１６に開口部があるため、通風路に配置したフィルターでの通風抵抗が減り、機内圧損が減り、風量の確保及び騒音低減につながる効果を奏する。
【産業上の利用可能性】
【００２６】
本発明にかかる浴室換気空調装置は、凝縮水などの停滞する水を、フィルターにて吸い上げ、送風機の風をフィルターあてることによって、フィルターにて水を蒸発させ、かび、菌の養分を無し、かび、菌の繁殖を抑えることを可能とするもので、機械的に排水するを要する機能分野として有用である。
【符号の説明】
【００２７】
１    圧縮機
２    第一熱交換器
３    膨張機構
４    第二熱交換器
５    ドレンパン
６    ドレンポンプ
７    第一送風機
８    第二送風機
９    フィルター
１０  ドレンホース
１１  コルゲート
１２  フィルター
１３  板
１４  波形
１５  ハニカム
１６  フィルター
【図１】
2012163296.tif 000003
【図２】
2012163296.tif 000004
【図３】
2012163296.tif 000005